(57)【要約】【課題】キッチン台の下部空間に配置する引き出しなどの収納体の配置を簡単に変更できるキッチン台を提供する【解決手段】  天板１１と脚部１５と、前記脚部間に少なくとも前面が開放された空間部１６を有するキッチン台において、収納体４０を横移動自在に吊支する横レール２０を前記空間部上の天板側に延設したものである。また、収納体４０は懸下体３０に吊下げられ、前後移動のための前後可動レール３１と、底部にキャスター４１が取り付けられており、前記懸下体３０は前記横レール２０に吊下げて横移動する横ロールと、懸下体下方に前記収納体４０を前後移動自在に出し入れする前後固定ロールを設けたものである。【選択図】  図１
2006087531.tif 000002
【特許請求の範囲】
【請求項１】
天板（１１）と脚部（１５）と、前記脚部間に少なくとも前面が開放された空間部（１６）を有するキッチン台（１０）において、収納体（４０）を横移動自在に吊支する横レール（２０）を前記空間部上の天板側に延設したことを特徴とするキッチン台。
【請求項２】
前記収納体（４０）は懸下体（３０）に吊下げられ、前後移動のための前後可動レール（３２）と、底部にキャスター（４１）が取り付けられており、前記懸下体（３０）は前記横レールに吊下げて横移動する横ロール（２０）と、懸下体下方に前記収納体（４０）を前後移動自在に出し入れする前後固定ロール（３１）を設けたことを特徴とする請求項1に記載のキッチン台。
【請求項３】
前記横レール（２０）は、キッチン台横端の前後脚部間から懸下体（３０）を横レール（２０）に装着できるようにキッチン台の少なくとも一方の横方向端部近傍まで延設し、且つ前後脚部間に前後桟（１７）を着脱自在に固定できることを特徴とする請求項1乃至２に記載のキッチン台。
【請求項４】
前記横レール（２０）は、長さ方向で分割され、分割されたすくなくとも一方の分割横レール（２０ａ）が回転可能に空間部上面に軸支されていることを特徴とする請求項１乃至２に記載のキッチン台。
【発明の詳細な説明】
【技術分野】
【０００１】
この発明は、天板に調理器や流し等が設けられたキッチン台、特に健常者又は車椅子利用者用に収納体を組替え可能なキッチン台に関するものである。
【背景技術】
【０００２】
従来、収納位置を利用者の使い勝手の良いように自由に選択でき、且ついつでも変更できるシステムキッチンとして、特許文献1に示すようにキッチン台下部空間部へワゴン型の収納体を利用するものが提案されている。
また、一方、車椅子使用者用のキッチン台としては、特許文献２のような膝スペースを設けたり該膝スペースを隠したりする技術が開示され、更に健常者及び車椅子利用者の双方が利用出来るキッチン台としては、特許文献３及び特許文献４のようにキッチン台を分割し、分割したキッチン台の組合せによるものが提案されている。
【特許文献１】特開２００３−１０２５６５号公報
【特許文献２】実開平５−７２２３０号公報
【特許文献３】特開平９−２５２８５５号公報
【特許文献４】特開２００１−１９０３４３号公報
【発明の開示】
【発明が解決しようとする課題】
【０００３】
しかしながら、従来のキッチン台は特許文献1に紹介されているように膝スペースであるキッチン台下部空間の収納配置をワゴンを使用しているため利用者が自由に変更できるものの、車椅子に腰掛けたまま移動させるには方向性が定まらず扱いにくいという欠点があった。
また、特許文献2に開示の技術にあっては、健常者が起立状態で調理作業を行う場合に膝スペースを外部に露出させないように見栄えをよくすることはできるものの、膝スペースそのものを最大限収納スペースに利用するには膝スペースの奥側が有効利用できない欠点があり、特許文献3及び特許文献４の技術も膝スペースであるオープンスペースを健常者が起立状態で使用するには更なる技術開発が求められるものである。
【０００４】
そこで、本発明は前述の諸課題を勘案しなされたもので、キッチン台の下部空間を起立作業の健常者には収納として最大限利用できるようにするとともに、何らかの事故などで車椅子生活となった場合は簡単に膝スペースを設けた収納配置に変更でき、且つ車椅子のままで膝スペース位置を軽い操作で簡単に変更できるキッチン台を提供することを目的としている。
【課題を解決するための手段】
【０００５】
上記の目的を達成するために、請求項１記載の発明は、天板と脚部と、前記脚部間に少なくとも前面が開放された空間部を有するキッチン台において、収納体を横移動自在に吊支する横レールを前記空間部上の天板側に延設したものである。
本発明によると、キッチン台下部の収納体を横方向に移動できるため、調理作業位置に応じて膝スペースを自由に移動できる。
【０００６】
さらに請求項２記載の発明は、請求項１記載の発明の構成に、前記収納体は懸下体に吊下げられ、前後移動のための前後可動レールと、底部にキャスタが取り付けられており、前記懸下体は前記横レールに吊下げて横移動する横ロールと、懸下体下方に前記収納体を前後移動自在に出し入れする前後固定ロールを設けることを加えたものである。
本発明によると、請求項1の効果に加え、収納体を前後方向にも移動できるため、収納体上面をカウンタとして利用できると共に、キャスターにより軽い操作で収納体を移動でき、且つ天板への荷重低減を図ることができる。また、キャスター付きワゴンの移動では移動時蛇行して移動が難しい場合があるが、本発明の移動にあっては横方向が横レールにより規制されているため蛇行を防止することができ、車椅子作業で長時間作業が必要な場合などは膝スペースを収納体の簡単な横移動で変更することできる。
【０００７】
次いで請求項3記載の発明は、請求項1乃至２に記載の発明に、前記横レールは、キッチン台横端の前後脚部間から懸下体を横レールに装着できるようにキッチン台の少なくとも一方の横方向端部近傍まで延設し、且つ前後脚部間に前後桟を着脱自在に固定できることを加えたものである。
本発明によると、キッチン台の側面から懸下体を利用者自らが装着可能であるため、キッチン台下の収納体レーアウトを自由に変更できるとともに、前後桟により横レール端部を覆い隠すことが出来見栄えのよいキッチン台となる。
また、横レールがキッチン台の両端部近傍まで延設されているため、レール自体を構造材に兼用でき、キッチン天板の強度向上が図れ、天板のたわみを防止できる。
【０００８】
また、請求項4記載の発明は、請求項１乃至２に記載の発明に、前記横レールは、長さ方向で分割され、分割されたすくなくとも一方の分割横レールが回転可能に空間部上面に軸支されていることを加えたものである。
本発明によると、横レールへの懸下体の装着が分割横レールを回転させキッチン台前面から行うことができるため、キッチン台の横方向に作業空間が取れない場合にあってもキッチン台下の収納体レーアウトを自由に変更できる。
【発明の効果】
【０００９】
この発明にかかるキッチン台は、以上説明した如き内容のものなので、キッチン台の下部空間を起立作業の健常者には収納として最大限利用できるようにするとともに、何らかの事故などで車椅子生活となった場合は簡単に膝スペースを設けた収納配置に変更でき、且つ車椅子のままで膝スペース位置を軽い操作で簡単に変更できるというの効果がある。
【発明を実施するための最良の形態】
【００１０】
以下、図面に基づき、この発明の詳細を説明する。
【実施例１】
【００１１】
図１は、本発明の実施例１を示す構成部品図であり、図2及び図３は実施例１の組立完成図で、図４及び図５は加熱機及び流し部分の断面図である。また、図７は本発明に使用する横レールと横ローラーの実施例を示し、図８は前後可動レールの実施例を示している。
【００１２】
図１に示すように、本発明の実施例１は天板１１に加熱機１２と流し１３が配置され、その中間部に上部引き出し１９を配置したキッチン台１０あって、天板１１の四方には脚部１５が配置され、奥側には配管カウンター１４を設置している。天板１１に配置された加熱機１２や流し１３の裏側下面には2本の横レール２０がキッチン台１０の横方向の端部から端部近傍まで延設され、その下が空間部１６を形成している。この横レール２０は図７に示すような断面C字形状の金属レールであって、レール端部から横ローラー２１が挿入できる構造のものである。
【００１３】
横ローラー２１は前記2本の横レール２０の間隔と一致させ懸下体３０の上面に4個固着されており、キッチン台１０側方から横レール２０に吊下げ可能になっている。また、懸下体３０は下向きコの字形状に形成され、その奥行き長さはキッチン台１０前後脚部１５の幅よりも若干短い長さで、前後の脚部１５の間から懸下体３０を出し入れできるようになっている。また、懸下体３０の両側片３３の内側には懸下体３０に挿着する収納体４０のための前後固定レール３１が螺着されている。この前後固定レール３１に使用するレールは図８に示すようなスライドレールが使用され、好ましくは収納体上面を補助カウンターとして使用できるようにフルエキステンションレールが好ましい。
【００１４】
収納体４０は上板４２と上部側板４３を有する箱形状で構成し、上部側板４３の外側には前記懸下体３０の前後固定レール３１に対応する前後可動レール３１が螺着されており、図４及び図５に示すように懸下体３０から収納体４０を出し入れ自在な構成となっている。また、この収納体４０の底部にはボールキャスター４１が取り付けられ、車椅子からも軽い力で収納体４０が前後左右に滑らかに移動できる構造となっている。
この箱形状の収納体４０は、図示していないが単なる棚収納や引き出し収納が用途に応じて選択でき、収納方向も前後方向や横方向と自由に構成することができる。
【００１５】
次にキッチン台空間部１６への収納体４０取り付け方法について説明する。
図１に示すように、まず、キッチン台１０側方を開放し、必要な複数の懸下体３０を順次横レール２０に挿着する。そして、全ての懸下体３０の挿着が完了した後、キッチン台脚部１５に横レール端部を隠すためや脚部１５の補強のための桟１７を図示しないボルト等の螺着手段によって固定し、次いで、各懸下体３０の幅に対応した収納体４０を前面から装着すれば組立を完了することができる。この組立は使用者が簡単に行うことができるため、例えば、健常者が何らかの事故で車椅子生活になった場合にも、図３の収納レイアウトを自分に最適な図２のオープンスペースのキッチンレイアウトに速やかに変更できる。
【実施例２】
【００１６】
次に、その他の実施例につき図６を用いて説明する。この実施例は実施例１に対して横レール構造のみが異なるため、その構造のみを以下説明する。
この実施例の2本の横レール２０は、分割横レール２０ａが使用される。分割横レール２０ａは所謂公知のターンテーブル形式のもので、回転軸２２部がキッチン台下部空間の天板側に回転自在に軸支されたものである。分割横レール２０ａと固定横レール２０ｂの当接部は斜め切断されており左回転可能になっている。
【００１７】
このように横レール２０を構成することで、分割横レール２０ａを左回転させレール端部をキッチン台の手前側に向けることで、懸下体３０を分割横レール２０ａに装着することができる。従って、この組立にあっては、懸下体３０を一個づつ分割横レール２０ａに装着し、そして、分割横レール２０ａを右回転させて固定横レール２０ｂに当接させた後懸下体３０を固定横レール２０ｂに移動させることにより、図２又は図３のレイアウトを完成させることができる。
【００１８】
以上、本発明の実施例を説明してきたが、具体的な構成はこれら実施例に限られるものではなく、例えば、前述した横レール２０の構造は分割横レール２０ａをキッチン台の下部から着脱できるものであれば良く、キッチン台前面に前後方向に移動させる機構であっても良い。また、横レール２０そのものが着脱可能なものであって、先に横レール２０に横ローラー２１を挿入した後にキッチン台下部へ横レール２０をビスなどで固着する構造とすることもできる。
さらに、オープンスペースである膝スペース１を設けたキッチン台レイアウトにおいては、横方向に収納体４０を移動できるため、移動時に収納体同士が衝突するため、図示していないが懸下体側方に緩衝ダンパーを取り付けることも可能であり、逆に移動を固定する場合は横ローラー２１若しくはキャスター４１に周知のストッパー機構を設けることも可能である。
【図面の簡単な説明】
【００１９】
【図１】本発明の実施例１を示す構成部品斜視図である。
【図２】実施例１の組立完成斜視図である。
【図３】実施例１のその他の組立完成斜視図である。
【図４】加熱機に部分の断面図である。
【図５】流し部分の断面図である。
【図６】本発明の実施例２の横レール構成説明図である。
【図７】本発明に使用する横レールと横ローラーの実施例を示す斜視図である。
【図８】本発明で使用する前後可動レールの実施例でを示す斜視図である。
【符号の説明】
【００２０】
１  膝スペース
１０  キッチン台
１１  天板
１２  加熱機
１３  流し
１４  配管カウンター
１５  脚部
１６  空間部
１７  桟
１８  排水管
１９  上部引き出し
２０  横レール
２０ａ  分割横レール
２０ｂ  固定横レール
２１  横ローラー
２２  回転軸
３０  懸下体
３１  前後固定レール
３２  前後可動レール
３３  側片
４０  収納体
４１  キャスター
４２  上板
４３  上部側板
【図１】
2006087531.tif 000003
【図２】
2006087531.tif 000004
【図３】
2006087531.tif 000005
【図４】
2006087531.tif 000006
【図５】
2006087531.tif 000007
【図６】
2006087531.tif 000008
【図７】
2006087531.tif 000009
【図８】
2006087531.tif 000010